(57)【特許請求の範囲】
【請求項１】
第１の処理能力・表示能力と、当該能力に対応する第１のブラウザを持つ第１の端末と、前記第１の処理能力・表示能力よりも劣る第２の処理能力・表示能力と、当該能力に対応する第２のブラウザを持つ第２の端末とを含む、利用者が使用する複数の端末と、インターネットに接続され、前記利用者の各端末にコンテンツを提供する情報提供サーバと、
前記インターネットに接続され、前記各端末のブックマーク情報を収集したブックマーク情報リストを保持しているブックマーク管理サーバとを備えてなるブックマーク管理システムであって、
該ブックマーク管理サーバは、前記第１の端末からブックマーク取得要求を受信すると、前記ブックマーク情報リストから、当該第１の端末が所望のコンテンツにアクセスするための名称情報と、該名称情報に対応する第１のアドレス情報とを含む第１のブックマーク情報を取得して、当該第１の端末が持つ第１の処理能力・表示能力に応じた第１の表示データとして当該第１の端末に送信する一方、
前記第２の端末からブックマーク取得要求を受信すると、前記ブックマーク情報リストから、当該第２の端末が所望のコンテンツにアクセスするための前記名称情報と、前記名称情報に対応する第２のアドレス情報とを含む第２のブックマーク情報を取得して、当該第２の端末が持つ第２の処理能力・表示能力に応じた第２の表示データとして当該第２の端末に送信すると共に、
前記ブックマーク情報リストは、前記ブックマーク情報の集合として、少なくとも、リンク先のコンテンツの内容を示す複数の名称情報と、前記名称情報ごとに、1の名称情報に共通に対応する前記第１及び第２のアドレス情報を含む複数のアドレス情報とから構成されていることを特徴とするブックマーク管理システム。
【請求項２】
前記ブックマーク情報は、前記ブックマーク情報リスト内で前記リンク先のコンテンツの種類を区別するための種別情報をさらに含んで構成されていることを特徴とする請求項１記載のブックマーク管理システム。
【請求項３】
前記ブックマーク情報は、前記第１の表示データの構成部分として前記第１の端末に送信するための前記リンク先のコンテンツに関するコメント情報をさらに含んで構成されていることを特徴とする請求項１又は２記載のブックマーク管理システム。
【請求項４】
前記ブックマーク情報は、ブックマーク情報を第三者に公開して良いか否かを示す開示情報をさらに含んで構成されていることを特徴とする請求項１、２又は３記載のブックマーク管理システム。
【請求項５】
前記複数のアドレス情報は、複数のＵＲＬ（Uniform Resource Locator）情報からなると共に、前記第１のアドレス情報は、前記第１の端末としてのパーソナルコンピュータのブラウザからアクセス可能な第１のＵＲＬ情報であり、前記第２のアドレス情報は、前記第２の端末としての携帯電話端末のブラウザからアクセス可能な第２のＵＲＬ情報であることを特徴とする請求項１記載のブックマーク管理システム。
【請求項６】
前記第１のＵＲＬ情報は、ＨＴＭＬ（Hyper Text Markup Language）で記述されたＵＲＬであり、前記第２のＵＲＬ情報は、コンパクトＨＴＭＬ又はＷＭＬ（Wireless Markup Language）で記述されたＵＲＬであることを特徴とする請求項５記載のブックマーク管理システム。
【請求項７】
前記ブックマーク管理サーバは、前記ブックマーク情報を編集するブックマーク編集機能を備えていることを特徴とする請求項１乃至６のいずれか１に記載のブックマーク管理システム。
【請求項８】
前記ブックマーク編集機能は、前記ブックマーク情報を追加，削除，変更，又は表示順番の変更を行う機能であることを特徴とする請求項７記載のブックマーク管理システム。
【請求項９】
前記ブックマーク管理サーバは、前記端末の機種を判別し、その判別結果によって前記ブックマーク情報に登録されている前記複数のＵＲＬ情報から１つのＵＲＬ情報を選択するＵＲＬ選択機能を備えていることを特徴とする請求項５又は６記載のブックマーク管理システム。
【請求項１０】
前記ブックマーク管理サーバは、前記ブックマーク情報から利用者がどのような種類のコンテンツをブックマーク情報として登録すると共に、どの程度アクセスしているかを表す利用者の利用傾向に関する利用者傾向情報を取得する機能を備えていることを特徴とする請求項１乃至９のいずれか１に記載のブックマーク管理システム。
【請求項１１】
前記ブックマーク管理サーバは、前記利用者傾向情報から利用者がどのような情報に興味あるのか、又はどのような情報について必要としているかを表す共有ブックマーク情報を取得する機能を備えていることを特徴とする請求項１０記載のブックマーク管理システム。
【請求項１２】
前記ブックマーク管理サーバは、前記利用者傾向情報に従って、前記共有ブックマーク情報からブックマーク情報を選択し、選択したブックマーク情報を前記端末へ情報配信する機能を備えていることを特徴とする請求項１１記載のブックマーク管理システム。
【請求項１３】
前記ブックマーク管理サーバは、前記利用者傾向情報に対応する広告内容を表す広告情報を選択し、前記端末へ送信することを特徴とする請求項１０、１１又は１２記載のブックマーク管理システム。
【請求項１４】
第１の処理能力・表示能力と、当該能力に対応する第１のブラウザを持つ第１の端末と、前記第１の処理能力・表示能力よりも劣る第２の処理能力・表示能力と、当該能力に対応する第２のブラウザを持つ第２の端末とを含む、利用者が使用する複数の端末と、インターネットに接続され、前記利用者の各端末にコンテンツを提供する情報提供サーバと、
前記インターネットに接続され、前記各端末のブックマーク情報を収集したブックマーク情報リストを保持しているブックマーク管理サーバとを備えてなるブックマーク管理システムで用いられるブックマーク管理方法であって、
該ブックマーク管理サーバは、前記第１の端末からブックマーク取得要求を受信すると、前記ブックマーク情報リストから、当該第１の端末が所望のコンテンツにアクセスするための名称情報と、該名称情報に対応する第１のアドレス情報とを含む第１のブックマーク情報を取得して、当該第１の端末が持つ第１の処理能力・表示能力に応じた第１の表示データとして当該第１の端末に送信する一方、
前記第２の端末からブックマーク取得要求を受信すると、前記ブックマーク情報リストから、当該第２の端末が所望のコンテンツにアクセスするための前記名称情報と、前記名称情報に対応する第２のアドレス情報とを含む第２のブックマーク情報を取得して、当該第２の端末が持つ第２の処理能力・表示能力に応じた第２の表示データとして当該第２の端末に送信すると共に、
前記ブックマーク情報リストを、前記ブックマーク情報の集合として、少なくとも、リンク先のコンテンツの内容を示す複数の名称情報と、前記名称情報ごとに、1の名称情報に共通に対応する前記第１及び第２のアドレス情報を含む複数のアドレス情報とから構成することを特徴とするブックマーク管理方法。
【請求項１５】
前記ブックマーク情報は、前記ブックマーク情報リスト内で前記リンク先のコンテンツの種類を区別するための種別情報をさらに含んでいることを特徴とする請求項１４記載のブックマーク管理方法。
【請求項１６】
前記ブックマーク情報は、前記第１の表示データの構成部分として前記第１の端末に送信するための前記リンク先のコンテンツに関するコメント情報をさらに含んでいることを特徴とする請求項１４又は１５記載のブックマーク管理方法。
【請求項１７】
前記ブックマーク情報は、ブックマーク情報を第三者に公開して良いか否かを示す開示情報をさらに含んでいることを特徴とする請求項１４、１５又は１６記載のブックマーク管理方法。
【請求項１８】
前記複数のアドレス情報は、複数のＵＲＬ（Uniform Resource Locator）情報からなると共に、前記第１のアドレス情報は、前記第１の端末としてのパーソナルコンピュータのブラウザからアクセス可能な第１のＵＲＬ情報であり、前記第２のアドレス情報は、前記第２の端末としての携帯電話端末のブラウザからアクセス可能な第２のＵＲＬ情報であることを特徴とする請求項１４記載のブックマーク管理方法。
【請求項１９】
前記第１のＵＲＬ情報は、ＨＴＭＬ（Hyper Text Markup Language）で記述されたＵＲＬであり、前記第２のＵＲＬ情報は、コンパクトＨＴＭＬ又はＷＭＬ（Wireless Markup Language）で記述されたＵＲＬであることを特徴とする請求項１８記載のブックマーク管理方法。
【請求項２０】
前記ブックマーク管理サーバは、前記ブックマーク情報を編集できることを特徴とする請求項１４乃至１９のいずれか１に記載のブックマーク管理方法。
【請求項２１】
前記編集は、前記ブックマーク情報を追加，削除，変更，又は表示順番の変更であることを特徴とする請求項２０記載のブックマーク管理方法。
【請求項２２】
前記ブックマーク管理サーバは、前記端末の機種を判別し、その判別結果によって前記ブックマーク情報に登録されている前記複数のＵＲＬ情報から１つのＵＲＬ情報を選択できることを特徴とする請求項１８又は１９記載のブックマーク管理方法。
【請求項２３】
前記ブックマーク管理サーバは、前記ブックマーク情報から利用者がどのような種類のコンテンツをブックマーク情報として登録すると共に、どの程度アクセスしているかを表す利用者の利用傾向に関する利用者傾向情報を取得できることを特徴とする請求項１４乃至２２のいずれか１に記載のブックマーク管理方法。
【請求項２４】
前記ブックマーク管理サーバは、前記利用者傾向情報から利用者がどのような情報に興味あるのか、又はどのような情報について必要としているかを表す共有ブックマーク情報を取得できることを特徴とする請求項２３記載のブックマーク管理方法。
【請求項２５】
前記ブックマーク管理サーバは、前記利用者傾向情報に従って、前記共有ブックマーク情報からブックマーク情報を選択し、選択したブックマーク情報を前記端末へ情報配信できることを特徴とする請求項２４記載のブックマーク管理方法。
【請求項２６】
前記ブックマーク管理サーバは、前記利用者傾向情報に対応する広告内容を表す広告情報を選択し、前記端末へ送信できることを特徴とする請求項２３、２４又は２５記載のブックマーク管理方法。
【発明の詳細な説明】
【技術分野】
【０００１】  この発明は、ブックマークを管理するブックマーク管理方法及びブックマーク管理方法に係り、詳しくは、利用者が複数の端末を使用している場合のブックマーク管理システム及びブックマーク管理方法に関する。
【背景技術】
【０００２】  この種のブックマークは、ＷＷＷブラウザに搭載されているＵＲＬ（Uniform  Resource Locator）の記憶機能を意味し、頻繁に確認したり覚えておきたいＷｅｂページを見つけたときに、ブックマーク機能を使って所望のＵＲＬを登録しておけば、次回はＵＲＬを再入力することなく、メニューからプルダウンして選択するだけで再度接続できる機能である。従って、利用者はあるコンテンツヘアクセスする際に、そのコンテンツのＵＲＬがブックマークに登録しているＵＲＬであるならば、再度ＵＲＬを入力する作業を省くことができ、頻繁に利用するコンテンツへのアクセスを容易に行うことができる。【０００３】  図１３及び図１４を参照して、上記従来のブックマークの管理システムについて、説明する。
図１３は、従来例のブックマーク管理システムの構成を示す概略図であり、図１４は、この例のシステムにおけるブックマーク情報の一例を示す図である。【０００４】  この従来例のブックマーク管理システムは、図１３に示すように、利用者が使用するクライアント端末２０又は携帯端末３０と、利用者に情報を提供する情報提供サーバ５０と、クライアント端末２０又は携帯端末３０と情報提供サーバ５０とを接続するインターネット１０とから構成されている。【０００５】  次に、この従来例のブックマーク管理システムの各部の構成について説明する。
クライアント端末２０は、パーソナルコンピュータ等の端末であり、ＷＷＷコンテンツ等を表示する機能を持つブラウザ２１を内蔵し、インターネット１０に接続されている。利用者がクライアント端末２０からＵＲＬ等のアドレスを入力すると、ブラウザ２１は、インターネット１０を介して情報提供サーバ５０から所望のＷＷＷコンテンツを取得し、表示する。【０００６】  携帯端末３０は、携帯電話等であり、ＷＷＷコンテンツ等を表示する機能を持つブラウザ３１を内蔵し、ゲートウェイ４０を介してインターネット１０に接続されている。利用者が携帯端末３０を介してＵＲＬ等のアドレスを入力すると、ブラウザ３１は、ブラウザ２１と同様に、インターネット１０を介して情報提供サーバ５０から所望のＷＷＷコンテンツを取得し、表示する。【０００７】  この従来例のクライアント端末２０及び携帯端末３０は、図１４に示すようなブックマーク情報を管理するブックマーク機能を持つ。すなわち、各「名称」に各「ＵＲＬ」を対応させて記憶しておく。「ＵＲＬ」は、インターネット上のオブジェクトの場所を示すための表記方法である。【０００８】  例えば、クライアント端末２０及び携帯端末３０は、「NEC」，「Biglobe」，「○○銀行」等の名称に対して、「www.nec.co.jp/」，「www.biglobe.ne.jp/」，「www.oobank.co.jp/」等の「ＵＲＬ」を記憶し、利用者はこのブックマーク機能を利用することにより、あるコンテンツヘアクセスする際に、再度ＵＲＬを入力する作業を省くことができる。
【発明が解決しようとする課題】
【０００９】  しかしながら、上述した従来のブックマーク機能は、１人の利用者が複数の端末を利用している場合、その複数の端末間でブックマークを同じ内容にする際に、各端末のブックマーク情報を別々に変更する必要があり、ブックマークの内容について各端末の同期を取ることが容易ではないという問題点があった。
【００１０】  また、携帯電話などの携帯端末が備えるブラウザを利用したＷＷＷコンテンツを参照する際、携帯端末は、その処理性能・表示性能上の制約があり、このため、通常のパーソナルコンピュータが備えるブラウザで表示可能なＷＷＷコンテンツを指示するＵＲＬとは異なるＵＲＬを利用せざるを得ない場合が多く、この場合、従来のブックマーク機能では、一つのコンテンツを示すＵＲＬを登録する際に、１つのＵＲＬしか保存することができなかった。従って、ブックマーク情報を各端末間で共有することはできないので、所望のコンテンツのブックマーク情報を登録する際、パーソナルコンピュータ用、携帯端末用等、複数のブックマーク情報を登録する必要があり、作業が容易ではないという問題があった。
【００１１】  また、従来のブックマーク機能では、自己の持つブックマーク情報は、個人的な利用に限られており、そのブックマーク情報を他者に伝えるには、口頭やメール等の別の手段を用いて各個人間で行う必要があった。
【００１２】  さらに、昨今、インターネットによる広告コンテンツ配信技術が盛んに行われているが、従来のブックマーク機能では、利用者が興味を持たない内容の広告コンテンツも配信され、効果的な配信ができなかった。
【００１３】  この発明は、上述した問題を鑑みてなされたものであり、複数の端末に同一のブックマーク情報を登録するブックマーク管理システムを提供することを目的としている。
【課題を解決するための手段】
【００１４】
【課題を解決するための手段】
上記課題を解決するために、この発明の第１の構成は、第１の処理能力・表示能力と、当該能力に対応する第１のブラウザを持つ第１の端末と、前記第１の処理能力・表示能力よりも劣る第２の処理能力・表示能力と、当該能力に対応する第２のブラウザを持つ第２の端末とを含む、利用者が使用する複数の端末と、インターネットに接続され、前記利用者の各端末にコンテンツを提供する情報提供サーバと、前記インターネットに接続され、前記各端末のブックマーク情報を収集したブックマーク情報リストを保持しているブックマーク管理サーバとを備えてなるブックマーク管理システムに係り、該ブックマーク管理サーバは、前記第１の端末からブックマーク取得要求を受信すると、前記ブックマーク情報リストから、当該第１の端末が所望のコンテンツにアクセスするための名称情報と、該名称情報に対応する第１のアドレス情報とを含む第１のブックマーク情報を取得して、当該第１の端末が持つ第１の処理能力・表示能力に応じた第１の表示データとして当該第１の端末に送信する一方、前記第２の端末からブックマーク取得要求を受信すると、前記ブックマーク情報リストから、当該第２の端末が所望のコンテンツにアクセスするための前記名称情報と、前記名称情報に対応する第２のアドレス情報とを含む第２のブックマーク情報を取得して、当該第２の端末が持つ第２の処理能力・表示能力に応じた第２の表示データとして当該第２の端末に送信すると共に、前記ブックマーク情報リストは、前記ブックマーク情報の集合として、少なくとも、リンク先のコンテンツの内容を示す複数の名称情報と、前記名称情報ごとに、1の名称情報に共通に対応する前記第１及び第２のアドレス情報を含む複数のアドレス情報とから構成されていることを特徴としている。
【００１５】
また、この発明の第２の構成は、第１の処理能力・表示能力と、当該能力に対応する第１のブラウザを持つ第１の端末と、前記第１の処理能力・表示能力よりも劣る第２の処理能力・表示能力と、当該能力に対応する第２のブラウザを持つ第２の端末とを含む、利用者が使用する複数の端末と、インターネットに接続され、前記利用者の各端末にコンテンツを提供する情報提供サーバと、前記インターネットに接続され、前記各端末のブックマーク情報を収集したブックマーク情報リストを保持しているブックマーク管理サーバとを備えてなるブックマーク管理システムで用いられるブックマーク管理方法に係り、該ブックマーク管理サーバは、前記第１の端末からブックマーク取得要求を受信すると、前記ブックマーク情報リストから、当該第１の端末が所望のコンテンツにアクセスするための名称情報と、該名称情報に対応する第１のアドレス情報とを含む第１のブックマーク情報を取得して、当該第１の端末が持つ第１の処理能力・表示能力に応じた第１の表示データとして当該第１の端末に送信する一方、前記第２の端末からブックマーク取得要求を受信すると、前記ブックマーク情報リストから、当該第２の端末が所望のコンテンツにアクセスするための前記名称情報と、前記名称情報に対応する第２のアドレス情報とを含む第２のブックマーク情報を取得して、当該第２の端末が持つ第２の処理能力・表示能力に応じた第２の表示データとして当該第２の端末に送信すると共に、前記ブックマーク情報リストを、前記ブックマーク情報の集合として、少なくとも、リンク先のコンテンツの内容を示す複数の名称情報と、前記名称情報ごとに、1の名称情報に共通に対応する前記第１及び第２のアドレス情報を含む複数のアドレス情報とから構成することを特徴としている。
【発明を実施するための形態】
【００４６】  以下、図面を参照して、この発明の実施の形態について説明する。説明は実施例を用いて具体的に説明する。なお、以下の説明において、用語「ブックマーク情報」とは、ブックマーク機能により記憶されている情報をいい、利用者が頻繁に利用する１つ以上のＵＲＬを含む情報を意味する。
【００４７】◇第１実施例
まず、図１乃至図５を参照して、この発明の第１実施例について説明する。
図１は、この発明の第１実施例であるブックマーク管理システムの構成を示す概略図である。
この例のブックマーク管理システムは、同図に示すように、利用者が使用するクライアント端末２０及び携帯端末３０と、利用者に情報を提供する情報提供サーバ５０と、クライアント端末２０及び携帯端末３０と情報提供サーバ５０とを接続するインターネット１０と、ブックマーク管理サーバ６０とから構成されている。携帯端末３０は、ゲートウェイ４０を介してインターネット１０と接続されている。クライアント端末２０及び携帯端末３０は、それぞれブラウザ２１及びブラウザ３１を内蔵している。また、ブックマーク管理サーバ６０は、ブックマーク情報の集合であるブックマーク情報リスト６１を有している。
【００４８】  次に、図１を参照して、この例のシステムの各部の構成について説明する。
クライアント端末２０は、パーソナルコンピュータ等であり、ＷＷＷ（World Wide web）コンテンツ等を表示する機能を持つブラウザ２１を内蔵し、インターネット１０に接続されている。利用者がクライアント端末２０からＵＲＬ等のアドレスを入力すると、ブラウザ２１は、インターネット１０を介して情報提供サーバ５０から所望のＷＷＷコンテンツを取得し、表示する。
【００４９】  携帯端末３０は、携帯電話等であり、ＷＷＷコンテンツ等を表示する機能を持つブラウザ３１を内蔵し、ゲートウェイ４０を介してインターネット１０に接続されている。利用者が携帯端末３０を介してＵＲＬ等のアドレスを入力すると、ブラウザ３１は、ブラウザ２１と同様に、インターネット１０を介して情報提供サーバ５０から所望のＷＷＷコンテンツを取得し、表示する。
【００５０】  ブックマーク管理サーバ６０は、各利用者のブックマーク情報を保持するサーバである。ブックマーク管理サーバ６０は、ブックマーク情報の集合であるブックマーク情報リスト６１を備え、クライアント端末２０又は携帯端末３０の持つブラウザ２１，３１からインターネット１０を介してブックマーク取得要求を受信すると、ブックマーク情報リスト６１からブックマーク情報を取得し、ブックマーク取得を要求したブラウザ２１，３１に対してブックマーク情報を表示するための表示データを送信する。表示データは、例えばＨＴＭＬ（Hyper Text Markup Language）言語で記述されている。表示データを受信したブラウザ２１，３１は、その内容に従って、クライアント端末２０又は携帯端末３０の表示部にブックマーク情報を表示する。
【００５１】  情報提供サーバ５０は、利用者に種々の情報を提供するサーバであり、利用者によってクライアント端末２０又は携帯端末３０から入力されたＵＲＬ等のアドレスに対応するコンテンツをインターネット１０を介してクライアント端末２０又は携帯端末に提供する。
【００５２】  次に、図２を参照して、上述したブックマーク情報のリストについて説明する。
図２は、この発明の第１実施例であるブックマーク管理システムにおけるブックマーク情報リストの一例を示す図である。
この例のブックマーク情報リスト６１は、同図に示すように、ブックマーク情報の集合であり、各々のブックマーク情報は、少なくとも、ＵＲＬが示すコンテンツの内容を示す「名称」情報６１２と、少なくとも１つ以上の「ＵＲＬ」情報６１３，６１４とを備える。また、この例のブックマーク情報リスト６１は、さらに、各々のブックマークを任意の種類別に管理するための「種別」情報６１１と、各々のブックマークに関する情報を記憶するための「コメント」情報６１５と、そのブックマーク情報を利用者以外の第三者に公開してよいかどうかを示す「開示」情報６１６とを備える。ブックマーク情報は、各利用者が管理し、さらに利用者からのブックマーク取得要求に際して、ユーザＩＤ・パスワード方式、電子証明書方式、あるいはクッキーによるユーザ認証を行う機能も持ち得るが、この例の「開示」情報６１６は、本人以外からのブックマーク取得要求に対して、各ブックマーク情報ごとにブックマーク情報を開示するか否かを設定するものである。
【００５３】  少なくとも１つ以上の「ＵＲＬ」情報６１３，６１４は、第１のＵＲＬ情報である「ＵＲＬ１」情報６１３と、第２のＵＲＬ情報である「ＵＲＬ２」情報６１４であり、「ＵＲＬ１」情報６１３は、クライアント端末２０のブラウザ２１におけるＵＲＬ情報であり、「ＵＲＬ２」情報６１４は、携帯端末３０のブラウザ３１におけるＵＲＬ情報である。
【００５４】  少なくとも１つ以上の１つの「ＵＲＬ」情報６１３，６１４は、特定のブックマーク情報について複数保存することができる。例えば、十分な処理能力・表示能力を持つパーソナルコンピュータ等であるクライアント端末２０では、一般的なＨＴＭＬで記述されたコンテンツを表示するためのＵＲＬを第１のＵＲＬ情報として「ＵＲＬ１」情報６１３に保存し、また限られた処理能力・表示能力しかもたないブラウザを内蔵する携帯電話等の携帯端末３０に対しては、Compact HTMLやＷＭＬ（Wireless Markup Language）で記述されたコンテンツを表示するためのＵＲＬを第２のＵＲＬ情報として「ＵＲＬ２」情報６１４に保存する。
【００５５】  ブックマーク管理サーバ６０は、クライアント端末２０のブラウザ２１又は携帯端末３０のブラウザ３１からのブックマーク取得要求を受信すると、そのブラウザの能力に応じて、「ＵＲＬ１」情報６１３又は「ＵＲＬ２」情報６１４のうちのいずれを利用するかを選択し、要求したブラウザ２１又はブラウザ３１に対してブックマーク情報を表示するための表示データを送信する。
【００５６】  次に、図３，図４を参照して、この発明の第１実施例によるブラウザの表示例について説明する。
図３，図４は、この発明の第１実施例であるブックマーク管理システムにおけるブラウザ機能によるブックマークの表示例を示す図であり、図３はクライアント端末のブラウザによる表示例、図４は携帯端末のブラウザによる表示例を示している。
図３に示すクライアント端末２０のブラウザ２１によるブックマークの表示例は、ブックマーク情報リスト６１により、パーソナルコンピュータ等のクライアント端末２０のブラウザ２１が表示するブックマーク情報の表示例である。左側には、ブックマーク情報リストの「種別」情報６１１が、中央には、「名称」情報６１２が、右側には、「コメント」情報６１５が表示されている。「種別」情報６１１には、「IT」，「Finance」と表示され、「名称」情報６１２には、「NEC」「Biglobe」と表示され、「コメント」情報６１５には、「お勧めです」，「お気に入り」と表示されている。これら各情報は、ブックマーク情報リスト６１から取得された情報であり、「種別」情報６１１，「名称」情報６１２，「コメント」情報６１５は、それぞれ、図２で示したブックマーク情報リスト６１の「種別」情報６１１，「名称」情報６１２，「コメント」情報６１５に相当する。
【００５７】  ここで、下線と共に表示される「名称」情報６１２の表示は、ハイパーリンクを示しており、「ＵＲＬ１」情報６１３がハイパーリンク先として記述されている。例えば、利用者が、「名称」情報６１２として、「NEC」を選択すると、ブラウザ２１は、ＵＲＬ「http://nec.co.jp/」で示される通常のＨＴＭＬ言語で記述されるコンテンツを情報提供サーバ５０から取得し、表示する。
【００５８】  図４に示す携帯端末３０のブラウザ３１によるブックマークの表示例は、ブックマーク情報リスト６１により、携帯電話等の携帯端末３０のブラウザ３１が表示するブックマーク情報の表示例である。このブラウザ３１は、処理能力・表示能力が限られ、一列表示であり、最上部に「種別」情報６１１として「IT」、「名称」情報６１２として「NEC」，「Biglobe」が表示され、その下に「種別」情報６１１として「Finance」、「名称」情報６１２として「○○銀行」，「Dahoo!」，「Sintaku」と表示されている。以下、さらにその下に他の「種別」情報６１１、及びそれに属する「名称」情報６１２とが順に表示されるようになっている。これら各情報は、上述した図３の説明と同様に、ブックマーク情報リスト６１から取得された情報である。すなわち、「種別」情報６１１，「名称」情報６１２は、それぞれ、図２で示したブックマーク情報リスト６１の「種別」情報６１１，「名称」情報６１２に相当する。
【００５９】  ここで、下線と共に表示される「名称」情報６１２の表示は、ハイパーリンクを示しており、図３の場合とは異なり、「ＵＲＬ２」情報６１４がハイパーリンク先として記述されている。例えば、利用者が、「名称」情報６１２として「NEC」を選択すると、ブラウザは、「http:www.nec.co.jp/i/」で示される、通常のＨＴＭＬ言語とは異なる言語、例えば、Compact HTML言語で記述されたコンテンツを情報提供サーバ５０から取得し、表示する。すなわち、図３の場合には、「http:www.nec.co.jp/」という「ＵＲＬ１」情報６１３を用いていたが、図４の場合には、「http:www.nec.co.jp/i/」という「ＵＲＬ２」情報６１４を用いている。
【００６０】  次に、図５を参照して、上述したブックマーク情報リストの更新画面について説明する。
図５は、この発明の第１実施例であるブックマーク管理システムにおけるブックマーク情報リストの更新画面の一例を示す図である。
この例の更新画面は、同図に示すように、「種別の名称」欄，「現在のブックマーク」欄，「ブックマークの追加」欄を備え、これにより、ブックマーク管理サーバ６０は、ブックマーク情報リスト６１を追加，削除，変更する編集機能を持つ。この例の更新画面は、ブックマーク情報リスト６１の編集機能をＨＴＭＬ言語で記述した場合の例を示している。
【００６１】  以下、図５を参照して、更新画面の各欄について説明する。
「種別の名称」欄は、現在編集している情報がどの種別に属しているかを表示するものである。この欄は、リストボックスで実現されており、リストボックスに表示される種別のリストを選択することで、他の種別情報に属するブックマーク情報の編集を行うように切り替えることが可能である。
【００６２】  「現在のブックマーク」欄は、ブックマーク情報リスト６１に記憶されているブックマークの一覧が表形式で表示される。ここで、表中の「削除」欄に表示されるチェックボックスを選択することで、そのブックマークを削除することができる。また、表中の「順序」欄に表示される矢印を選択することで、ブラウザ上での表示順を上下に変更することができる。
【００６３】  「ブックマークの追加」欄は、ブックマーク情報を新たに追加する場合に用いるものであり、新たなブックマークに関する名称，ＵＲＬ１，ＵＲＬ２，コメント，開示等を入力する欄が設けられている。
【００６４】  また、画面下部には、「送信」ボタンと「キャンセル」ボタンとが表示される。ここで、「送信」ボタンを選択すると、ブラウザ上で変更を加えた内容がブックマーク情報リスト６１に反映され、「キャンセル」ボタンを選択すると、ブラウザ上で変更を加えた内容が破棄される。
【００６５】◇第２実施例
次に、図６乃至図１０を参照して、この発明の第２実施例について説明する。
図６は、この発明の第２実施例であるブックマーク管理システムの構成を示す概略図である。
この例のブックマーク管理システムは、上述した第１実施例と同様に、利用者が使用するクライアント端末２０及び携帯端末３０と、利用者に情報を提供する情報提供サーバ５０と、クライアント端末２０及び携帯端末３０と情報提供サーバ５０とを接続するインターネット１０と、ブックマーク管理サーバ６０とから構成されている。クライアント端末２０及び携帯端末３０は、それぞれブラウザ２１及びブラウザ３１を内蔵している。また、ブックマーク管理サーバ６０は、ブックマーク情報の集合であるブックマーク情報リスト６１を有している。クライアント端末２０は、パーソナルコンピュータ等であり、ＷＷＷ（World Wide Web）コンテンツ等を表示する機能を持つブラウザ２１を内蔵し、インターネット１０に接続されている。利用者がクライアント端末２０からＵＲＬ等のアドレスを入力すると、ブラウザ２１は、インターネット１０を介して情報提供サーバ５０から所望のＷＷＷコンテンツを取得し、クライアント端末２０の表示部に表示する。
【００６６】  この例のブックマーク管理システムは、さらに、インターネット１０に接続される広告提供サーバ７０を備える。また、ブックマーク提供サーバ６０は、ブックマーク情報リスト６１の他に、利用傾向情報リスト６２，利用傾向キーワードリスト６３，共有ブックマーク情報リスト６４，広告情報リスト６５を備えている。
【００６７】  以下、図７乃至図１０を参照して、ブックマーク提供サーバが備えている利用傾向情報リスト，利用傾向キーワードリスト，共有ブックマーク情報リスト，広告情報リストの例について説明する。
まず、図７に、利用者傾向情報リスト６２の一例を示す。ブックマーク管理サーバ６０は、各利用者のブックマーク情報リスト６１から利用者傾向情報リスト６２を作成する利用者傾向情報取得機能を持つ。利用者傾向情報リスト６２とは、利用者がどのような種類のコンテンツをブックマーク情報として登録し、またどの程度アクセスしているかといった、利用者の利用傾向に関する情報を記憶するものである。この例の利用傾向情報リスト６２は、ある利用者の利用傾向を取得した結果、情報産業に関するコンテンツをブックマーク情報として２件登録し、ブックマークからそのコンテンツを利用した回数が６５４回であることを示し、また、金融・投資に関するコンテンツをブックマークとして３件登録し、ブックマークからそのコンテンツを利用した回数が４１３回であることを示すものである。さらに、自動車に関するコンテンツ、音楽に関するコンテンツと続く。
【００６８】  次に、図８に、利用傾向キーワードリスト６３の一例を示す。ブックマーク情報リスト６１から利用者傾向情報リスト６２を作成するには、利用傾向キーワードリスト６３を利用する。利用傾向キーワードリスト６３は、あるキーワードがどのような分野の情報に関するコンテンツのものであるか、その対応を示すリストである。この例の利用傾向キーワードリスト６３は、各利用者のブックマーク情報リスト６１に、「www.nec.co.jp」や「NEC」といったキーワードが含まれている場合、そのブックマーク情報は、「情報産業」に対応するコンテンツであることを示している。このように、ブックマーク情報リストは、利用傾向キーワードリスト６３に含まれるキーワードと比較される。その結果、各カテゴリごとのキーワード出現回数は、カテゴリ別の登録数として、利用者傾向情報リスト６２に反映される。
【００６９】  次に、図９に、共有ブックマーク情報リスト６４の一例を示す。上記のように取得した利用傾向情報リスト６２は、利用者がどのような情報に興味あるのか、どのような情報について必要としているかを表す性質を持つものといえる。ブックマーク管理サーバ６０は、この性質を利用して、各利用者の傾向に沿った情報提供を行うための共有ブックマーク提供機能及び広告配信機能を持つ。共有ブックマーク提供機能は、ブックマーク管理サーバ６０が持つ共有ブックマークリスト６４を用いることで表現される。共有ブックマーク情報リスト６４は、各利用者の利用傾向リスト６２より、比較的類似する利用傾向情報を持つ利用者のブックマーク情報リストから、ブックマーク情報を抽出したものである。この例の共有ブックマーク情報リスト６４は、カテゴリ情報とそれに対応する名称、コンテンツのＵＲＬ等の情報を持ち、ブックマーク管理サーバ６０からブックマーク情報を送信するとき、その利用者の利用傾向情報リスト６２の登録数，参照数等により、共有ブックマーク情報リスト６４の対応するカテゴリのブックマークを提供する。
【００７０】  次に、図１０に、広告情報リスト６５の一例を示す。広告配信機能は、ブックマーク管理サーバ６０の持つ広告情報リスト６５により実現される。この例の広告情報リスト６５は、カテゴリ情報とそれに対応する広告内容，広告提供サーバ７０が提供するコンテンツのＵＲＬ、広告文章などの情報を持ち、ブックマーク管理サーバ６０がブックマーク情報を送信するとき、その利用者の利用傾向情報リスト６２の登録数，参照数等により、広告情報リスト６５の対応するカテゴリの広告を提供する。
【００７１】  次に、図１１，図１２を参照して、この発明の第２実施例によるブラウザの表示例について説明する。
図１１，図１２は、この発明の第１実施例であるブックマーク管理システムにおけるブラウザ機能によるブックマークの表示例を示す図であり、図１１はクライアント端末のブラウザによる表示例、図１２は携帯端末のブラウザによる表示例を示している。
図１１及び図１２に示すブックマークの表示例は、特に、共有ブックマーク提供機能及び広告配信機能により提供される共有ブックマーク情報及び広告情報の表示例を含んでいる。
【００７２】  まず、図１１に示すように、パーソナルコンピュータ等、クライアント端末２０のブラウザ２１による表示例では、ブラウザ２１には、利用者のブックマーク情報と共に、ブラウザ画面下部には、共有ブックマーク情報が「お勧め」等と表示され、また、ブラウザ画面右部には、広告情報が「権堂商事」等と表示されている。
【００７３】  次に、図１２に示すように、携帯電話等、携帯端末３０のブラウザ３１による表示例では、ブラウザ３１には、利用者のブックマーク情報と共に、ブラウザ画面上部には、広告情報が「権藤商事」等と表示され、また、ブラウザ画面最下部には、共有ブックマーク情報が「お勧め」等と表示されている。
【００７４】  以上、この発明の実施例について図面を参照して詳述してきたが、具体的な構成はこの実施例に限られるものではなく、この発明の要旨を逸脱しない範囲の設計の変更などがあってもこの発明に含まれる。  例えば、上述の実施例においては、利用者がクライアント端末２０又は携帯端末３０からＵＲＬを入力することにより、ブラウザ２１が、インターネット１０を介して情報提供サーバ５０から所望のＷＷＷコンテンツを取得するとしたが、これに限定されず、ＵＲＬ以外のアドレス表記法を用いることもできる。
【００７５】  また、上述の実施例においては、パーソナルコンピュータ等のクライアント端末２０，携帯電話等の携帯端末３０を用いたが、これに限定されず、インターネットにアクセス可能な全てのコンピュータ、及び移動可能な全てのモバイル端末に適用することができる。
【００７６】  また、上述の実施例においては、ブックマーク情報リスト６１は、「種別」「名称」，「ＵＲＬ１」，「ＵＲＬ２」，「コメント」，「開示」情報を含むとしたが、これに限定されず、他の有効な全ての情報を含むことができる。
【００７７】  また、上述の実施例においては、広告提供サーバ７０を備える実施例を挙げたが、これに限定されず、「道路案内」，「会場案内」，「緊急病院案内」等、種々の「案内」を提供するサーバを備えることもできる。
【００７８】  また、上述の実施例においては、ブックマーク管理サーバ６０は、ブックマーク情報リスト，利用傾向情報リスト６１，利用傾向キーワードリスト６３，共有ブックマーク情報リスト６４，広告情報リスト６５を備える実施例を挙げたが、これに限定されず、有効ならば、あらゆるリストをも搭載することもできる。
【発明の効果】
【００７９】  以上説明したように、この発明の構成によれば、ブックマーク情報を端末側でなく、ブックマーク管理サーバ側で管理しているので、１利用者が複数の端末を利用している際に、ブックマーク情報を簡単に共有できる。
【００８０】  また、ブックマーク管理サーバで管理されるブックマーク情報は、１つのブックマークにつき１つ以上のＵＲＬを保存しており、ブックマーク管理サーバがブックマーク情報を送信する時に、端末の種別に応じてＵＲＬを選択するため、ある利用者が複数種類の端末を利用している際にでも、ブックマーク情報の共有を簡単にできる。
【００８１】  さらに、ブックマーク管理サーバは、利用者が登録しているブックマーク情報からその利用者の利用傾向を取得している。そのため、ブックマーク管理サーバは、利用者の趣味・趣向に応じたブックマーク情報を利用者に情報配信できる。
【００８２】  また、ブックマーク管理サーバは、利用者が登録しているブックマーク情報からその利用者の利用傾向を取得している。そのため、ブックマーク管理サーバは、利用者の趣味趣向に応じた内容の広告を配信できる。
【図面の簡単な説明】
【図１】  この発明の第１実施例であるブックマーク管理システムの構成を示す概略図である。
【図２】  この発明の第１実施例であるブックマーク管理システムにおけるパーソナルコンピュータが持つブラウザ機能によるブックマークの表示例を示す図である。
【図３】  この発明の第１実施例であるブックマーク管理システムにおける携帯電話が持つブラウザ機能によるブックマークの表示例を示す図である。
【図４】  この発明の第１実施例であるブックマーク管理システムにおけるブックマーク情報リストの例を示す図である。
【図５】  この発明の第１実施例であるブックマーク管理システムにおけるブックマーク情報リストの更新画面を示す図である。
【図６】  この発明の第２実施例であるブックマーク管理システムの構成を示す概略図である。
【図７】  この発明の第２実施例であるブックマーク管理システムにおける利用傾向情報リストを示す図である。
【図８】  この発明の第２実施例であるブックマーク管理システムにおける利用傾向情報リストの例を示す図である。
【図９】この発明の第２実施例であるブックマーク管理システムにおける共有ブックマーク情報リストの例を示す図である。
【図１０】  この発明の第２実施例であるブックマーク管理システムにおける広告情報リストの例を示す図である。
【図１１】  この発明の第２実施例であるブックマーク管理システムにおけるパーソナルコンピュータ等が持つブラウザ機能によるブックマークの表示例を示す図である。
【図１２】  この発明の第２実施例であるブックマーク管理システムにおける携帯無線端末が持つブラウザ機能によるブックマークの表示例を示す図である。
【図１３】  従来例の構成を示す図である。
【図１４】  従来例のブックマーク情報の構成例を示す図である。
【符号の説明】  １０  インターネット
２０  クライアント端末
２１，３１  ブラウザ
３０  携帯端末
４０  ゲートウェイ
５０  情報提供サーバ  ６０  ブックマーク管理サーバ
６１  ブックマーク情報リスト
６２  利用傾向情報リスト
６３  利用傾向キーワードリスト
６４  共有ブックマーク情報リスト
６５  広告情報リスト
７０  広告提供サーバ
【図１】
0005205684.tif 000002
【図２】
0005205684.tif 000003
【図３】
0005205684.tif 000004
【図４】
0005205684.tif 000005
【図５】
0005205684.tif 000006
【図６】
0005205684.tif 000007
【図７】
0005205684.tif 000008
【図８】
0005205684.tif 000009
【図９】
0005205684.tif 000010
【図１０】
0005205684.tif 000011
【図１１】
0005205684.tif 000012
【図１２】
0005205684.tif 000013
【図１３】
0005205684.tif 000014
【図１４】
0005205684.tif 000015